(57)【要約】【課題】異なる距離にある対象物を同時に撮像する。【解決手段】所定波長の第１の赤外パルスレーザ光を生成し、監視領域内へ照射する第１のレーザ照射器１２Ａと、第１の赤外パルスレーザ光の反射光を第１の検知素子１３１で逐次受光し、光電変換して電気信号を出力する第１の赤外線検知器１３と、この電気信号から第１の赤外線反射画像用信号を生成する第１の信号処理器１５Ａと、第１の赤外パルスレーザ光と異なる波長の第２の赤外パルスレーザ光を生成し、監視領域内へ照射するレーザ照射器１２Ｂと、第２の赤外パルスレーザ光の反射光を第２の検知素子１４１で逐次受光し、光電変換して電気信号を出力する第２の赤外線検知器１４と、この電気信号から第２の赤外線反射画像用信号を生成する第２の信号処理器１５Ｂを備え、第１の検知素子１３１と第２の検知素子１４１が外表面上に市松状で配置された赤外線撮像装置。【選択図】図１
2010008093.tif 000002
【特許請求の範囲】
【請求項１】
所定の波長の第１の赤外パルスレーザ光を生成し、監視領域内へ照射する第１のレーザ照射器と、
前記第１の赤外パルスレーザ光の照射に連動して、前記監視領域内の第１の物体からの反射光を外表面上に配置された複数の第１の検知素子により受光し、この反射光を光電変換して電気信号を出力する第１の赤外線検知器と、
この第１の赤外線検知器から出力された電気信号を変換し、第１の赤外線反射画像用信号を生成する第１の信号処理器と、
前記第１の赤外パルスレーザ光と異なる波長の第２の赤外パルスレーザ光を生成し、前記監視領域内へ照射する第２のレーザ照射器と、
前記第２の赤外パルスレーザ光の照射に連動して、前記外表面において直交する２軸の各方向で前記第１の検知素子に対して交互に配置された複数の第２の検知素子により前記監視領域内で前記第１の物体と異なる距離に存在する第２の物体から前記第２の赤外パルスレーザ光の反射光を逐次受光し、この反射光を光電変換して電気信号を出力する第２の赤外線検知器と、
この第２の赤外線検知器から出力された電気信号を変換し、第２の赤外線反射画像用信号を生成する第２の信号処理器と、
を備えることを特徴とする赤外線撮像装置。
【請求項２】
前記第１および第２の信号処理器に接続され、前記第１および第２の赤外線反射画像用信号を外部入力情報に基づいて切り替えて表示する画像表示器を更に有することを特徴とする請求項１記載の赤外線撮像装置。
【請求項３】
前記第１および第２の赤外線検知器は、前記反射光の到達時間に基づいて前記第１および第２の赤外パルスレーザ光の照射地点から所望の距離に存在する前記第１および第２の物体に係る電気信号をそれぞれ出力することを特徴とする請求項１または請求項２記載の赤外線撮像装置。
【請求項４】
所定の波長の第１の赤外パルスレーザ光を生成し、監視領域内へ照射する第１のレーザ照射器と、
前記第１の赤外パルスレーザ光の照射に連動し、前記監視領域内の第１の物体から前記第１の赤外パルスレーザ光の反射光を逐次受光する第１の検知素子と、
前記第１の赤外パルスレーザ光と異なる波長の第２の赤外パルスレーザ光を生成し、前記監視領域内へ照射する第２のレーザ照射器と、
前記第２の赤外パルスレーザ光の照射に連動し、前記監視領域内の第２の物体から前記第２の赤外パルスレーザ光の反射光を逐次受光する第２の検知素子と、
を備え、
前記第１および第２の検知素子は、同一面上において直交する２軸の各方向で交互に配置された受光領域を形成し、かつ、前記第１および第２のレーザ照射器のレーザ照射口は、前記受光領域の外周部に配置されることを特徴とする赤外線撮像装置。
【請求項５】
所定の波長の第１の赤外パルスレーザ光を生成し、監視領域内へ照射する第１の赤外レーザ照射ステップと、
前記第１の赤外パルスレーザ光の照射に連動して前記監視領域内の第１の物体から前記第１の赤外パルスレーザ光の反射光を逐次受光し、この反射光を光電変換して電気信号を出力する第１の赤外線受光ステップと、
この第１の赤外線受光ステップにおいて出力された電気信号を変換し、第１の赤外線反射画像用信号を生成する第１の信号処理ステップと、
前記第１の赤外パルスレーザ光と異なる波長の第２の赤外パルスレーザ光を生成し、前記監視領域内へ照射する第２の赤外レーザ照射ステップと、
前記第２の赤外パルスレーザ光の照射に連動して前記監視領域内で前記第１の物体と異なる距離に存在する第２の物体から前記第２の赤外パルスレーザ光の反射光を逐次受光し、この反射光を光電変換して電気信号を出力する第２の赤外線受光ステップと、
この第２の赤外線受光ステップにおいて出力された電気信号を変換し、第２の赤外線反射画像用信号を生成する第２の信号処理ステップと、
を有することを特徴とする赤外線撮像方法。
【請求項６】
前記第１および第２の赤外線反射画像用信号を外部入力情報に基づいて処理し、画面表示する画像表示ステップを更に有することを特徴とする請求項５記載の赤外線撮像方法。
【請求項７】
前記第１および第２の赤外線受光ステップにおいて、前記反射光の到達時間に基づいて前記第１および第２の赤外パルスレーザ光の照射地点から所望の距離に存在する前記第１および第２の物体に係る電気信号をそれぞれ出力することを特徴とする請求項５または請求項６記載の赤外線撮像方法。
【発明の詳細な説明】
【技術分野】
【０００１】
本発明は、監視領域内の物体を検知し、その画像を生成する赤外線撮像装置および赤外線撮像方法に関する。
【背景技術】
【０００２】
監視領域内の物体を検知するための装置としては、物体から放出される赤外線を受光し、その赤外線の解析によって画像データを生成する赤外線検知器が知られている（例えば、特許文献１参照）。この赤外線検知器は、物体から放出される可視光線や近赤外線が僅かであっても、これを増幅して明瞭な画像を得ることができるので、夜間利用も可能な利点がある。
【０００３】
また、監視領域内にレーザ光（赤外光など）を照射し、その反射光を受光して監視領域における対象物の有無、対象物までの距離、および対象物の画像データを生成するレーザレーダ装置が知られている（例えば特許文献２参照）。このレーザレーダ装置は、雨天、濃霧、夜間などの悪条件下でも遠距離にある物体の画像監視が可能な利点がある。
【特許文献１】特開２００１−２６８４４０号公報
【特許文献２】特開２００４−２８６０２号公報
【発明の開示】
【発明が解決しようとする課題】
【０００４】
しかしながら、赤外線検知器は、夜間利用可能であるが、対象物までの距離が不明であるため、複雑な背景下での利用に制約がある。一方、レーザレーダ装置は、指定距離の画像のみが取得されるため、距離の異なる対象物を同時に撮像することが出来ないという問題があった。
【０００５】
そこで、本発明は、従来技術の問題に鑑み、異なる距離に存在する対象物を同時、かつ、選択的に撮像可能な赤外線撮像装置および赤外線撮像方法を提供することを目的とする。
【課題を解決するための手段】
【０００６】
本発明に係る赤外線撮像装置は、所定の波長の第１の赤外パルスレーザ光を生成し、監視領域内へ照射する第１のレーザ照射器と、前記第１の赤外パルスレーザ光の照射に連動して、前記監視領域内の第１の物体からの反射光を外表面上に配置された複数の第１の検知素子により受光し、この反射光を光電変換して電気信号を出力する第１の赤外線検知器と、この第１の赤外線検知器から出力された電気信号を変換し、第１の赤外線反射画像用信号を生成する第１の信号処理器と、前記第１の赤外パルスレーザ光と異なる波長の第２の赤外パルスレーザ光を生成し、前記監視領域内へ照射する第２のレーザ照射器と、前記第２の赤外パルスレーザ光の照射に連動して、前記外表面において直交する２軸の各方向で前記第１の検知素子に対して交互に配置された複数の第２の検知素子により前記監視領域内で前記第１の物体と異なる距離に存在する第２の物体から前記第２の赤外パルスレーザ光の反射光を逐次受光し、この反射光を光電変換して電気信号を出力する第２の赤外線検知器と、この第２の赤外線検知器から出力された電気信号を変換し、第２の赤外線反射画像用信号を生成する第２の信号処理器と、を備えることを特徴とする。
【０００７】
本発明に係る赤外線撮像装置は、所定の波長の第１の赤外パルスレーザ光を生成し、監視領域内へ照射する第１のレーザ照射器と、前記第１の赤外パルスレーザ光の照射に連動し、前記監視領域内の第１の物体から前記第１の赤外パルスレーザ光の反射光を逐次受光する第１の検知素子と、前記第１の赤外パルスレーザ光と異なる波長の第２の赤外パルスレーザ光を生成し、前記監視領域内へ照射する第２のレーザ照射器と、前記第２の赤外パルスレーザ光の照射に連動し、前記監視領域内の第２の物体から前記第２の赤外パルスレーザ光の反射光を逐次受光する第２の検知素子と、を備え、前記第１および第２の検知素子は、同一面上において直交する２軸の各方向で交互に配置された受光領域を形成し、かつ、前記第１および第２のレーザ照射器のレーザ照射口は、前記受光領域の外周部に配置されることを特徴とする。
【０００８】
本発明に係る赤外線撮像方法は、所定の波長の第１の赤外パルスレーザ光を生成し、監視領域内へ照射する第１の赤外レーザ照射ステップと、前記第１の赤外パルスレーザ光の照射に連動して前記監視領域内の第１の物体から前記第１の赤外パルスレーザ光の反射光を逐次受光し、この反射光を光電変換して電気信号を出力する第１の赤外線受光ステップと、この第１の赤外線受光ステップにおいて出力された電気信号を変換し、第１の赤外線反射画像用信号を生成する第１の信号処理ステップと、前記第１の赤外パルスレーザ光と異なる波長の第２の赤外パルスレーザ光を生成し、前記監視領域内へ照射する第２の赤外レーザ照射ステップと、前記第２の赤外パルスレーザ光の照射に連動して前記監視領域内で前記第１の物体と異なる距離に存在する第２の物体から前記第２の赤外パルスレーザ光の反射光を逐次受光し、この反射光を光電変換して電気信号を出力する第２の赤外線受光ステップと、この第２の赤外線受光ステップにおいて出力された電気信号を変換し、第２の赤外線反射画像用信号を生成する第２の信号処理ステップと、を有することを特徴とする。
【発明の効果】
【０００９】
本発明によれば、異なる距離に存在する対象物を同時、かつ、選択的に撮像可能な赤外線撮像装置および赤外線撮像方法が提供される。
【発明を実施するための最良の形態】
【００１０】
以下、本発明の実施形態について図面を用いて説明する。図１は、本発明の一実施形態に係る赤外線撮像装置１の全体構成例を示す図である。同図に示されるように、赤外線撮像装置１は、制御器１１、レーザ照射器１２、第１の赤外線検知器１３、第２の赤外線検知器１４、信号処理器１５、および画像表示器１６から構成されている。
【００１１】
制御器１１は、赤外線撮像装置１を構成する各機器を制御する中央処理装置である。レーザ照射器１２は、第１のレーザ発生器１２Ａ、第２のレーザ発生器１２Ｂ、照射方向制御器１２Ｃ、および冷却器１２Ｄから構成され、レーザ光を所望の方向へ照射する装置である。第１のレーザ発生器１２Ａおよび第２のレーザ発生器１２Ｂは、制御器１１からの制御情報に基づいてレーザ光を生成し、照射方向制御器１２Ｃで定められた方向へ照射する。
【００１２】
ここでは、媒質としてＹＡＧを用い、第１の赤外線検知器１３および第２の赤外線検知器１４は、例えば原波長１．０６μｍのレーザ光を波長変換によって各々異なる波長とし、これを短パルスあるいは超短パルスの赤外パルスレーザ光として照射する。レーザ発生タイミングは、取得画像のフレーム間隔以上とするため、６０Hz以上若しくは１２０Hz以上とすることが好ましい。使用波長の具体例としては、赤外線の透過率の高い大気の窓を利用し、（１）中波長帯内の３μm付近と５μm付近の２波長を組み合わせる場合や（２）中波長帯の３〜５μmと長波長帯８〜１２μｍを組み合わせる場合などが考えられる。
【００１３】
照射方向制御器１２Ｃは、ジンバル機構（図示省略する）を回転駆動させることにより、第１のレーザ発生器１２Ａおよび第２のレーザ発生器１２Ｂで生成される赤外パルスレーザ光の照射方向を変更する装置である。冷却器１２Ｄは、第１のレーザ発生器１２Ａおよび第２のレーザ発生器１２Ｂにおいて赤外パルスレーザ光の生成の際に生じる熱を冷却する装置である。
【００１４】
第１の赤外線検知器１３は、監視領域内の対象物に対して第１のレーザ発生器１２Ａから照射された赤外パルスレーザ光の反射光（波長λ１の赤外線）を内設された高速シャッター（図示省略する）の開閉動作と複数の検知素子１３１によって所定の周期で受光し、この反射光を光電変換して監視領域内の対象物に係る電気信号を出力する。
【００１５】
第２の赤外線検知器１４は、監視領域内の対象物に対して第２のレーザ発生器１２Ｂから照射された赤外パルスレーザ光の反射光（波長λ２の赤外線）を内設された高速シャッター（図示省略する）の開閉動作と複数の検知素子１４１によって所定の周期で受光し、この反射光を光電変換して監視領域内の対象物に係る電気信号を出力する。高速シャッターを連続的に開閉することによって対象物までの距離が測定可能である。また、高速シャッターの開閉周期は、後述する生成画像の取得時間に関連するので、第１の赤外線検知器１３と同期させることが好ましい。受光する反射光は波長によって識別されるため、第２の距離ゲートの設定範囲は第１の距離ゲートと重複しても良い。
【００１６】
信号処理器１５は、第１の信号処理部１５Ａおよび第２の信号処理部１５Ｂから構成され、各赤外線検知器から取得される電気信号を変換して画像用信号を生成し、出力する。第１の信号処理部１５Ａは、第１の赤外線検知器１３から出力された電気信号に基づいて波長λ１の反射光に係る画像（以下、「第１の赤外線反射画像」という。）用信号を生成する。同様に、第２の信号処理部１５Ｂは、第２の赤外線検知器１４から出力された電気信号に基づいて波長λ２の反射光に係る画像（以下、「第２の赤外線反射画像」という。）用信号を生成する。
【００１７】
画像表示器１６は、信号処理器１５から出力された画像用信号を制御器１１の制御に基づいて処理し、各赤外線反射画像（レーザレーダ画像）を表示する装置である。
【００１８】
図２は、赤外線撮像装置１の具体例を示す概観図である。ここでは、赤外線撮像装置１の中央部には第１の赤外線検知器１３の単位センサである検知素子１３１並びに第２の赤外線検知器１４の検知素子１４１が同一の平面において直交するＸ軸およびＹ軸の各方向で交互に複数組み合わせ、市松状に一体化した受光領域が設けられている。また、第１のレーザ発生器１２Ａおよび第２のレーザ発生器１２Ｂのレーザ照射口は、受光領域の外周部の四隅に交互に設けられ、各々が対角線上で向かい合っている。受光領域において検知素子１３１、１４１を市松状に配置した理由は、異なる波長の赤外線の受光条件を同等とするためであるが、配置方法はこれに限られない。例えば、行単位あるいは列単位で同種の検知素子を配置してもよい。
【００１９】
また、第１のレーザ発生器１２Ａおよび第２のレーザ発生器１２Ｂのレーザ照射口は、レーザ照射方向が２種の検知素子の受光方向と平行であるように同一面上に配置されている。したがって、照射方向制御器１２Ｃのジンバル機構（図示省略する）を監視領域に向けて回転駆動させ、レーザの照射方向を変更した場合には、受光領域の傾斜角度も連動して変更される。すなわち、受光領域で反射光を受光し易い構成となっている。また、第１のレーザ発生器１２Ａおよび第２のレーザ発生器１２Ｂのレーザ照射口の配置は四隅に限定されない、例えば四辺の中間で各々が向かい合うように配置しても良い。同様に、個数も特に限定されない。
【００２０】
図３は、赤外線撮像装置１により撮像が行われる監視領域の具体例を示す図である。ここでは、赤外パルスレーザ光の照射が行われる領域が監視領域である。この監視領域には、境界面２Ａと境界面２Ｂに囲まれた第１の距離ゲートおよび境界面２Ｃと境界面２Ｄに囲まれた第２の距離ゲートが設定されており、飛翔体３Ａ、３Ｂ、山４Ａ、４Ｂ、４Ｃ、および樹木５Ａ、５Ｂ、５Ｃが存在している。第１の距離ゲート内には飛翔体３Ａ、樹木５Ａ、および樹木５Ｂ、第２の距離ゲート内には飛翔体３Ｂおよび樹木５Ｃが含まれている。そして、上空を移動する飛翔体３Ａ、３Ｂに対して赤外線撮像装置１のレーザ照射器１２から赤外パルスレーザ光が照射され、その反射光を受光する様子が示されている。距離ゲートの幅は例えば１ｋｍ、２ｋｍ、５ｋｍなど任意に設定可能である。また、距離ゲートの数は高速シャッターを開放した回数と等しい。
【００２１】
図４は、赤外線撮像装置１における撮像処理の具体例を示すフローチャートである。Ｓ４０１において、制御器１１は、ユーザインターフェース（図示省略する）を介してユーザから外部入力された情報に基づいてレーザ照射器１２の照射方向制御器１２Ｃを動作させ、監視領域に照射方向を合わせる。
【００２２】
Ｓ４０２において、第１のレーザ発生器１２Ａから赤外パルスレーザ光を照射すると共に、第１の赤外線検知器１３が第１の距離ゲート内に存在する対象物から波長λ１の反射光を受光して第１の赤外線反射画像用信号を生成する。
【００２３】
Ｓ４０３において、第２のレーザ発生器１２Ｂから赤外パルスレーザ光を照射すると共に、第２の赤外線検知器１４が第２の距離ゲート内に存在する対象物から波長λ２の反射光を受光して第２の赤外線反射画像用信号を生成する。ここでは、Ｓ４０２およびＳ４０３は並列して行われる。
【００２４】
Ｓ４０４において、制御器１１は、ユーザインターフェース（図示省略する）を介してユーザから外部入力された情報が第１の赤外線反射画像の表示要求か否かを判定する。ここで、第１の赤外線反射画像の表示が要求された場合には、制御器１１は画像表示器１６に第１の赤外線反射画像用信号に基づいて第１の赤外線反射画像を表示させ（Ｓ４０５）、処理を終了する。
【００２５】
図５は、図３の監視領域について画像表示器１６に表示される画像の具体例を示す図である。図５（ａ）は、第１の赤外線検知器１３から出力された電気信号に係る第１の赤外線反射画像（レーザレーダ画像）であり、第１の距離ゲート内に存在する飛翔体３Ａ、樹木５Ａ、および樹木５Ｂの画像が表示されている。
【００２６】
これに対し、第２の赤外線反射画像の表示が要求された場合には、制御器１１は画像表示器１６に第２の赤外線反射画像用信号に基づいて第２の赤外線反射画像を表示させ（Ｓ４０６）、処理を終了する。図５（ｂ）は、第２の赤外線検知器１４から出力された電気信号に係る第２の赤外線反射画像（レーザレーダ画像）であり、第２の距離ゲート内に存在する飛翔体３Ｂおよび樹木５Ｃの画像が表示されている。
【００２７】
図６は、赤外線反射画像生成処理（Ｓ４０２およびＳ４０３）の具体例を示すフローチャートである。第１および第２の赤外線反射画像生成処理は、対象とする反射光の波長以外は共通しているので、ここでは第１の赤外線反射画像の生成処理を例として説明する。
【００２８】
Ｓ６０１において、第１のレーザ発生器１２Ａは、制御器１１からの制御情報に基づいて赤外パルスレーザ光を生成し、照射方向制御器１２Ｃで定められた方向へ照射する。ここで、赤外パルスレーザ光を監視領域の全範囲について照射するのに長時間を要する場合は、所定の条件で照射領域を狭めることが好ましい。例えば、照射方向を中心部のみに限定する方法、ユーザが範囲を指定する方法、あるいは、連携可能な他のシステムで取得される画像を解析して移動物体を検知し、その周辺範囲のみを照射する方法など任意に設定できる。
【００２９】
Ｓ６０３において、第１の赤外線検知器１３は、第１のレーザ発生器１２Ａから照射された赤外パルスレーザ光の反射光（波長λ１）を検知素子１３１において逐次受光する。Ｓ６０４において、第１の赤外線検知器１３は、所定時間の経過後に高速シャッターを閉じ、受光を終える。
【００３０】
尚、高速シャッターの開放時間（受光時間）に基づいて画像の取得範囲である距離ゲートの長さが決定される。図７は、高速シャッターの開閉と反射光到達時間の関係を説明する図である。同図において、縦軸は反射光の光量、横軸は反射光到達時間であり、受光対象となる反射光を斜線で示している。受光時間ＴＡ、ＴＢの長さは距離ゲートの幅に比例し、反射光到達時間は被照射体からの距離に比例するので、ｔ１で高速シャッターを開いてからｔ２で閉じるまでに受光した赤外パルスレーザ光の反射光（波長λ１）が第１の距離ゲート内に存在する被照射体（対象物）に係る反射光として選択的に受光される。同様に、高速シャッターを開閉してｔ３〜ｔ４の間で受光した波長λ２の反射光が第２の距離ゲート内に存在する被照射体（対象物）に係る反射光として選択的に受光される。すなわち、高速シャッターの開閉によって連続的に撮像することで、特定波長の反射光の受光タイミングの相違に基づいて被照射体がどの距離ゲートに含まれるのかを判別でき、高速で移動する被照射体（例えば飛翔体）をそれぞれ追跡できる。ここでは、２波長であるため２物体を同時に追跡できるが、対応する波長数を増やせば更に多くの対象物を追跡可能である。
【００３１】
Ｓ６０５において、第１の赤外線検知器１３は、受光した赤外パルスレーザ光の反射光（波長λ１）を光電変換し、生成した電気信号を信号処理器１５（第１の信号処理部１５Ａ）へ出力する。Ｓ６０６において、信号処理器１５（第１の信号処理部１５Ａ）は、出力された電気信号の変換処理を行い、第１の赤外線反射画像用信号を生成・出力して処理を終了する。
【００３２】
このように、異なる波長の赤外パルスレーザ光を照射し、その反射光（赤外線）の波長と反射光の到達時間に基づいて別々に処理することによって、異なる距離にある複数の対象物の画像を同時、かつ、選択的に撮像可能な赤外線撮像装置を構築できる。
【００３３】
尚、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態にわたる構成要素を適宜組み合わせてもよい。
【図面の簡単な説明】
【００３４】
【図１】本発明の一実施形態に係る赤外線撮像装置１の全体構成例を示すブロック図。
【図２】本発明の一実施形態に係る赤外線撮像装置１の具体例を示す概観図。
【図３】本発明の一実施形態に係る赤外線撮像装置１により撮像が行われる監視領域の具体例を示す図である。
【図４】本発明の一実施形態に係る赤外線撮像装置１における撮像処理の具体例を示すフローチャート。
【図５】図３の監視領域について画像表示器１６に表示される画像の具体例を示す図。
【図６】赤外線反射画像生成処理の具体例を示すフローチャート。
【図７】高速シャッターの開閉と反射光到達時間の関係を説明する図。
【符号の説明】
【００３５】
１…赤外線撮像装置、
２Ａ〜Ｄ…境界面、
３Ａ、Ｂ…飛翔体、
４Ａ〜Ｃ…山、
５Ａ〜Ｃ…樹木、
１１…制御器、
１２…レーザ照射器、
１２Ａ…第１のレーザ発生器、
１２Ｂ…第２のレーザ発生器、
１２Ｃ…照射方向制御器、
１２Ｄ…冷却器、
１３…第１の赤外線検知器、
１４…第２の赤外線検知器、
１５…信号処理器、
１５Ａ…第１の信号処理部、
１５Ｂ…第２の信号処理部、
１６…画像表示器。
【図１】
2010008093.tif 000003
【図２】
2010008093.tif 000004
【図４】
2010008093.tif 000005
【図６】
2010008093.tif 000006
【図７】
2010008093.tif 000007
【図３】
2010008093.tif 000008
【図５】
2010008093.tif 000009